【事件の表示】
　特願２０１１−１９９０１８「液晶シャッタを備える電子機器」拒絶査定不服審判事件〔平成２５年　４月　４日出願公開、特開２０１３−　６１４３６〕について、次のとおり審決する。
【結　論】
　本件審判の請求は、成り立たない。
【理　由】
第１　手続の経緯
　本願は、平成２３年９月１３日の出願であって、平成２５年９月２５日付けで拒絶の理由が通知され、同年１１月３０日に意見書及び手続補正書が提出されたが、平成２６年３月２６日付けで拒絶査定がなされ、これに対して、同年５月１２日に拒絶査定不服審判の請求がされたものである。
  
第２　原査定の根拠となった拒絶の理由
　平成２５年９月２５日付けで通知した拒絶の理由のうち、原査定の根拠となった拒絶理由は、次の（理由１）及び（理由４）である。
１　（理由１）
　この出願は、特許請求の範囲の記載が下記の点で、特許法第３６条第６項第１号に規定する要件を満たしていない。
　
　　　　　　　　　　　　　　　　　記
　発明の詳細な説明には、フル・フラット・デザインの液晶ディスプレイにおいて、縁枠の背後にカメラ・モジュールを配置する場合において、カメラ・モジュールを使用しないときに開口を閉じ、かつ開口と縁枠との色彩上の一体感を醸し出すためには、開口に黒の機械的なシャッタを設ける方法があるところ、機械的なシャッタは開閉動作を電気的に制御する場合に信頼性を維持することが困難であったり、スペース上の制約があったり、およびコスト増の要因になったりするなどの問題がある、という課題（段落【０００６】〜【０００８】等参照。）を解決するために、縁枠において透過率の高い部分であるシャッタ開口を設け、当該シャッタ開口の裏に液晶シャッタを配し、液晶シャッタの裏にカメラ・モジュールを配置したことが記載されている（段落【００２２】〜【００３６】等参照。）。
　一方、請求項１〜８、１５〜１８、２０には、カメラ・モジュールに関する特定がされていないから、発明の詳細な説明に記載された課題解決手段を反映するものとはいえず、請求項１〜８、１５〜１８、２０に係る発明は、発明の詳細な説明に記載した範囲を超えることとなる。
　よって、請求項１〜８、１５〜１８、２０に係る発明は、発明の詳細な説明に記載したものでない。
　
２　（理由４）
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１、２
・理由３、４
・引用文献１
備考
　引用文献１（特に、段落【００１８】〜【００４４】を参照。）には、表示領域２０ｐと撮像領域２０ｈとを有するアクティブ・マトリクス駆動方式の液晶パネル２０と、撮像領域２０ｈの裏側に配置されたカメラ６０と、を有し、カメラ６０が像を撮像する期間にのみ、撮像領域２０ｈが光を透過するよう液晶パネル２０を制御する、電子機器が記載されている。
　
・請求項４
・理由４
・引用文献１
備考
　撮像領域２０ｈにおける駆動電極の構成を、表示領域２０ｐと同様のものとすることは、当業者が適宜採用し得ることである。
　
・請求項３
・理由４
・引用文献１、２
備考
　撮像領域２０ｈは画素単位で駆動する必要がないことから、例えば引用文献２（段落【００６０】等参照。）に開示されているような周知のセグメント方式を採用することは、当業者が適宜なし得る設計変更の範囲内のことである。
　
　　　　　　　　　　　引　用　文　献　等　一　覧
１.特開２０１０−０１５０１５号公報
２.特開２００６−２２０７８６号公報
　
第３　理由４について
１　本願発明の認定
　本願の請求項１に係る発明（以下「本願発明」という。）は、平成２５年１１月３０日付けの手続補正書により補正された本願の請求項１に記載された、次のとおりのものと認める。
「ノーマリ・ホワイト・モードで動作するアクティブ・マトリクス駆動方式の液晶パネルと、
　ノーマリ・ブラック・モードで動作する液晶シャッタと、
　前記液晶シャッタの裏側に配置されたカメラ・モジュールと、
　前記液晶シャッタのパネル透過率を制御する制御部と
を有する電子機器。」
　
２　引用例の記載事項 
　上記（理由４）において引用文献１として引用された、本願の出願前に日本国内において頒布された刊行物である特開２０１０−１５０１５号公報（以下「引用例」という。）には、以下の（１）ないし（４）の記載がある。
（１）　「【請求項１】
　表示領域を有する表示パネルと、
　前記表示パネルの背面側に配置され、光源および前記光源からの光を前記表示パネルに向けて出射するとともに前記表示領域と平面的に重なる位置に少なくとも１つ以上の孔が設けられた導光板を有する照明装置と
　前記孔内に配置されており前記表示領域に表示される像を前記表示パネルを介して撮像する撮像素子と、を備えてなることを特徴とする電気光学装置。
【請求項２】
　少なくとも前記撮像素子が前記像を撮像する期間において、前記表示パネルの前記撮像素子に対応する領域が光を透過するよう構成されてなることを特徴とする請求項１に記載の電気光学装置。」
 
（２）　「【００１８】
　[第１実施形態]
　図１は、第１実施形態に係る液晶装置１００の斜視図である。第１実施形態に係る液晶装置１００は、画面を見ている観察者の顔をカメラで撮影して当該画面に映し出す装置である。
【００１９】
　図１に示すように、第１実施形態に係る液晶装置１００は、主に、液晶パネル２０と、液晶パネル２０には画像を表示する表示領域２０ｐがあり、この液晶パネルの裏面に配置された照明装置５０と、カメラ６０と、より構成される。
【００２０】
　照明装置５０は、液晶パネル２０の背面側に設けられ、光源からの光を、導光板を通して光Ｌｂとして液晶パネル２０に出射する。照明装置５０の導光板には、貫通孔５１ｈが設けられ、当該貫通孔５１ｈには、液晶パネル２０の表示領域２０ｐへ向けてカメラ６０が設けられる。
【００２１】
　観察者Ｏｖｓは、液晶パネル２０の画面に対し正面を向いている。液晶パネル２０において、カメラ６０の位置に対応する領域（以下、「撮像領域」）２０ｈは、外部からの光Ｌａが透過する透過モードに設定されているため、カメラ６０は、液晶パネル６０を挟んで反対側にいる観察者Ｏｖｓを撮影することができる。カメラ６０により撮影された観察者Ｏｖｓの画像は、図１に示すように、液晶パネル２０の表示領域２０ｐに表示される。
【００２２】
　図２は、第１実施形態に係る液晶装置１００の断面図である。
【００２３】
　図２に示すように、液晶パネル２０は、基板１、２がシール材３を介して貼り合わされてなる構造を有し、基板１、２の間には、液晶４が封入されてなる。基板１の内面上には、表示領域２０ｐにおける１ドットのサブ画素ＳＧ毎に画素電極５が形成されており、基板２の内面上には、カラーフィルタたるＲＧＢの各色の着色層６及び対向電極７が形成されている。ＲＧＢの各色の着色層６は、画素電極５に対応する位置に形成され、対向電極７は、基板２の全面に形成されている。
【００２４】
　液晶パネル２０の背面側には、照明装置５０が設置される。照明装置５０は、液晶パネル２０に光を透過することにより照明する。なお、液晶パネル２０と照明装置５０の間には、下偏光板１２ｂ、拡散板１３、プリズムシート１４が配置される。また、液晶パネル２０の観察者Ｏｖｓ側には、上偏光板１２ａが配置される。」
　
（３）　「【００３２】
　次に液晶パネル２０の駆動回路の構成について述べる。図４は、液晶装置１００における液晶パネル２０の平面図である。図２に示した液晶装置１００における液晶パネル２０は、図４に示す液晶パネル２０の平面図の切断線Ａ−Ａ´に沿った断面図であり、駆動回路の図示を省略した図である。なお、図４では、紙面縦方向（列方向）をＹ方向と、また、紙面横方向（行方向）をＸ方向と規定する。
【００３３】
　基板１の内面上には、複数の走査線２４、複数のデータ線２５がマトリクス状に配置されており、各走査線２４と各データ線２５の交点にはＴＦＴ素子（Ｔｈｉｎ　ｆｉｌｍ　Ｄｉｏｄｅ）などのスイッチング素子２６が設けられている。複数の走査線２４及び複数のデータ線２５により仕切られた各領域が１つのサブ画素ＳＧを構成している。サブ画素ＳＧ毎に画素電極５が設けられ、当該画素電極５はスイッチング素子２６と電気的に接続されている。」
　
（４）　「【００３９】
　次に、第１実施形態に係る液晶装置１００の制御方法について、図５を用いて説明する。図５は、液晶装置１００の制御方法を示すブロック図である。
【００４０】
　制御部４０は、例えばＣＰＵ（Ｃｅｎｔｒａｌ　Ｐｒｏｃｅｓｓｉｎｇ　Ｕｎｉｔ）などにより構成され、液晶パネル２０だけでなく、カメラ６０や記憶部４２とも接続されている。
【００４１】
　記憶部４２には、液晶パネル２０における撮像領域２０ｈの位置や範囲を示す情報（撮像領域情報）が記録されている。制御部４０は、撮像領域情報に基づいて、液晶パネル２０における撮像領域２０ｈを求め、当該撮像領域２０ｈを、外部からの光が透過する透過モードに設定する。これにより、カメラ６０は、液晶パネル６０を挟んで反対側にいる観察者Ｏｖｓを撮影することが可能となる。ここで、透過モードとは、液晶パネル２０における撮像領域２０ｈの透過率を、カメラ６０が観察者Ｏｖｓを撮影可能な程度に設定することである。即ち、少なくともカメラ６０が像（ここでは観察者Ｏｖｓ）を撮像する期間において、撮像領域２０ｈが光を透過するよう構成すれば、カメラ６０に入射する被写体からの光が液晶パネルによって減衰することを防止できる。例えば、液晶パネル２０をノーマリホワイトに設定し、撮像領域２０ｈにおいて電圧を無印加としたり、ノーマリブラックに設定し電圧を印加状態にしたりすればよい。カメラ６０が像を撮像する期間にのみ撮像領域２０ｈが光を透過するよう液晶パネル２０を制御してもよいし、或いは、液晶パネル２０をノーマリホワイトとし、撮像領域２０ｈに電極を設けない等して恒常的に当該領域が光を透過するよう構成してもよい。」
　
（５）　上記（２）で言及されている図１及び図２は、次のものである。
 
３　引用発明の認定 
（１）　上記２（１）の、請求項１を引用する請求項２を、請求項１を引用しない形式で表せば、次のとおりである。
「表示領域を有する表示パネルと、前記表示パネルの背面側に配置され、光源および前記光源からの光を前記表示パネルに向けて出射するとともに前記表示領域と平面的に重なる位置に少なくとも１つ以上の孔が設けられた導光板を有する照明装置と、前記孔内に配置されており前記表示領域に表示される像を前記表示パネルを介して撮像する撮像素子と、を備え、
　少なくとも前記撮像素子が前記像を撮像する期間において、前記表示パネルの前記撮像素子に対応する領域が光を透過するよう構成されてなる、電気光学装置。」
 
（２）　上記２の（２）ないし（４）に記載された「第１実施形態」は、上記（１）の電気光学装置の実施例に相当する。
　上記（１）の電気光学装置の「表示パネル」及び「撮像素子」は、それぞれ、「第１実施形態」の「液晶パネル２０」及び「カメラ６０」に対応する。
　
（３）　上記２（３）によれば、上記「液晶パネル２０」は、アクティブ・マトリクス駆動方式の液晶パネルといえる。
　
（４）　上記２（２）の【００２１】の記載によれば、「液晶パネル２０において、カメラ６０の位置に対応する領域」である「撮像領域２０ｈ」は、「外部からの光Ｌａが透過する透過モードに設定されているため、カメラ６０は、液晶パネル６０を挟んで反対側にいる観察者Ｏｖｓを撮影することができる。」ものであり、上記２（４）の【００４１】の記載によれば、上記「透過モード」とは、「液晶パネル２０における撮像領域２０ｈの透過率を、カメラ６０が観察者Ｏｖｓを撮影可能な程度に設定すること」であって、「少なくともカメラ６０が像（ここでは観察者Ｏｖｓ）を撮像する期間において、撮像領域２０ｈが光を透過するよう構成す」ることができるものであるから、上記（１）の電気光学装置の「『撮像素子が像を撮像する期間において、光を透過するよう構成されてなる』『表示パネルの前記撮像素子に対応する領域』」に対応する。
　また、上記２（２）の【００２１】の「カメラ６０により撮影された観察者Ｏｖｓの画像は、図１に示すように、液晶パネル２０の表示領域２０ｐに表示される。」との記載によれば、上記「カメラ６０」は、撮影した画像を液晶パネル２０の表示領域２０ｐに表示するから、上記（１）の電気光学装置の「撮像素子」と同じく、「表示領域に表示される像を表示パネルを介して撮像する」ものである。
　
（５）　上記２（４）の「【００４１】・・・少なくともカメラ６０が像（ここでは観察者Ｏｖｓ）を撮像する期間において、撮像領域２０ｈが光を透過するよう構成すれば、カメラ６０に入射する被写体からの光が液晶パネルによって減衰することを防止できる。例えば、液晶パネル２０をノーマリホワイトに設定し、撮像領域２０ｈにおいて電圧を無印加としたり、ノーマリブラックに設定し電圧を印加状態にしたりすればよい。」との記載によれば、撮像領域２０ｈは、ノーマリブラックに設定し、カメラ６０が像を撮像する期間において電圧を印加して光を透過するよう構成してもよい。
　
（６）　上記２（３）の【００４１】の「制御部４０は、撮像領域情報に基づいて、液晶パネル２０における撮像領域２０ｈを求め、当該撮像領域２０ｈを、外部からの光が透過する透過モードに設定する。」及び「透過モードとは、液晶パネル２０における撮像領域２０ｈの透過率を、カメラ６０が観察者Ｏｖｓを撮影可能な程度に設定することである。」との記載によれば、「制御部４０」は、撮像領域２０ｈの透過率を制御するものである。
　
（７）　上記（１）ないし（６）によれば、引用例には、次の発明（以下「引用発明」という。）が記載されているものと認められる。
「表示領域を有するアクティブ・マトリクス駆動方式の液晶パネルと、
　前記液晶パネルの背面側に配置され、光源および前記光源からの光を前記液晶パネルに向けて出射するとともに前記表示領域と平面的に重なる位置に少なくとも１つ以上の孔が設けられた導光板を有する照明装置と、
　前記孔内に配置されており前記表示領域に表示される像を前記液晶パネルを介して撮像するカメラと、
　制御部と、を備え、
　前記液晶パネルの前記カメラに対応する領域である撮像領域は、ノーマリブラックに設定されており、前記カメラが前記像を撮像する期間において、電圧を印加されて光を透過し、
　前記制御部は、前記撮像領域の透過率を制御する、
　電気光学装置。」
  
４　対比
　本願発明と引用発明とを対比する。
（１）　引用発明の「表示領域を有するアクティブ・マトリクス駆動方式の液晶パネル」は、本願発明の「アクティブ・マトリクス駆動方式の液晶パネル」に相当し、以下同様に、
　「『ノーマリブラックに設定されており、カメラが像を撮像する期間において、電圧を印加されて光を透過する』『液晶パネルの前記カメラに対応する領域である撮像領域』」は、「ノーマリ・ブラック・モードで動作する液晶シャッタ」に、
　「『液晶パネルの背面側に配置され』た『照明装置』が有する『導光板』の『孔内』に『配置され』た『カメラ』」は、「液晶シャッタの裏側に配置されたカメラ・モジュール」に、
　「『撮像領域の透過率を制御する』『制御部』」は、「液晶シャッタのパネル透過率を制御する制御部」に、
　「電気光学装置」は、「電子機器」に、それぞれ、相当する。
　
（２）　そうすると、本願発明と引用発明との一致点と相違点は次のとおりである。
＜一致点＞
 「アクティブ・マトリクス駆動方式の液晶パネルと、
　ノーマリ・ブラック・モードで動作する液晶シャッタと、
　前記液晶シャッタの裏側に配置されたカメラ・モジュールと、
　前記液晶シャッタのパネル透過率を制御する制御部と
を有する電子機器。」
 
＜相違点＞
　本願発明は、「液晶パネル」が「ノーマリ・ホワイト・モードで動作する」と特定されているのに対して、引用発明は、該特定を有しない点。
 
５　当審の判断
　上記相違点について検討する。
（１）　引用発明の「液晶パネル」において、少なくとも撮像領域以外の領域は、カメラで撮影した画像を表示すればよいのであって、該領域を、表示駆動しない状態で白い画面（ノーマリ・ホワイト）とするか黒い画面（ノーマリ・ブラック）にするかの何れかであって、適宜選択できる設計事項である。
　
（２）　また、引用発明の「液晶パネル」は、アクティブ・マトリクス駆動方式であって、個々の画素を個別に電圧を印加して透過率を変えられるところ、上記２（４）には、「【００４１】記憶部４２には、液晶パネル２０における撮像領域２０ｈの位置や範囲を示す情報（撮像領域情報）が記録されている。制御部４０は、撮像領域情報に基づいて、液晶パネル２０における撮像領域２０ｈを求め、当該撮像領域２０ｈを、外部からの光が透過する透過モードに設定する。」とあって、撮像領域の位置や範囲を示す撮像領域情報を記憶部４２に記録しておき、制御部４０は、撮像領域情報に基づいた制御ができることからして、撮像領域をノーマリ・ブラック、撮像領域以外の領域をノーマリ・ホワイトとなるように、制御部を動作させることに、格別の技術的困難性は認められない。
　
（３）　してみると、引用発明において、本願発明の上記相違点に係る構成を備えることは、当業者が適宜なし得たことと認められる。
　また、該構成を備えることによる効果は、当業者が予想し得るものにすぎない。
　よって、本願発明は、当業者が引用発明に基づいて容易に発明をすることができたものである。
  
（４）　なお、上記２（４）の【００４１】の「液晶パネル２０をノーマリホワイトに設定し、撮像領域２０ｈにおいて電圧を無印加としたり、ノーマリブラックに設定し電圧を印加状態にしたりすればよい。」との記載は、「液晶パネル２０（の撮像領域２０ｈ以外の領域）をノーマリホワイトに設定し、撮像領域をノーマリブラックに設定してもよい。」ことを意味すると解することができる。
　したがって、引用例には、撮像領域がノーマリブラックである引用発明において、液晶パネル２０（の撮像領域２０ｈ以外の領域）をノーマリホワイトに設定した発明、すなわち、引用発明が本願発明の上記相違点に係る構成を備えた発明が記載されているといえる。
　よって、本願発明は、該発明と同一、すなわち、引用例に記載された発明ともいえる。
　
第５　理由１について
　本願発明は、平成２５年１１月３０日付けの手続補正書による請求項１の補正により、液晶シャッタの裏側に配置されたカメラ・モジュールを有するものとなった。
　しかしながら、原査定の（理由１）で検討したとおり、本願明細書の発明の詳細な説明に記載された発明は、「フル・フラット・デザインの液晶ディスプレイにおいて、縁枠の背後にカメラ・モジュールを配置する場合、縁枠との色彩上の一体感が損なわれてしまったり、また、カメラ・モジュールを使用しないときに開口を閉じ、かつ開口と縁枠との色彩上の一体感を醸し出すためには、開口に黒の機械的なシャッタを設ける方法があるところ、機械的なシャッタは開閉動作を電気的に制御する場合に信頼性を維持することが困難であったり、スペース上の制約があったり、およびコスト増の要因になったりするなどの問題がある、という課題」を解決するために「縁枠において透過率の高い部分であるシャッタ開口を設け、当該シャッタ開口の裏に液晶シャッタを配し、液晶シャッタの裏にカメラ・モジュールを配置した」との構成を備えたものであるところ、本願発明は、「液晶シャッター」に関して、「ノーマリ・ブラック・モードで動作する」と特定されているのみであって、液晶ディスプレイの縁枠にシャッタ開口を設け、該シャッタ開口の裏に液晶シャッタを配するものとはなっていない。
 よって、本願発明は、発明の課題を解決するための手段が反映されていないため、発明の詳細な説明に記載した範囲を超えて特許を請求することとなっている。
  
第５　結言 
　上記第３のとおり、本願発明は、当業者が引用発明に基づいて容易に発明をすることができたものであるから、特許法第２９条第２項の規定により特許を受けることができない。
　また、上記第４のとおり、本願発明は、発明の課題を解決するための手段が反映されていないため、発明の詳細な説明に記載した範囲を超えて特許を請求することとなっているから、本願は、特許請求の範囲の記載が、特許法第３６条第６項第１号に規定する要件を満たしていない。
　よって、結論のとおり審決する。